(57)【要約】【課題】不要な光の入射を防止することができ、メッキ部材の近傍に配された場合にメッキ部材との視覚的な親和性が高く、太陽光を吸収することによる温度上昇を抑制できる光学装置、この光学装置が結像した像を撮像する撮像装置、及びこの光学装置に用いられるレンズを提供する。【解決手段】一側に形成された凸面と他側に形成された周縁側の傾斜面及び中央側の凹面とを有する第１レンズ１０に、金属膜１５を傾斜面に形成する。同様の構成の第２レンズ２０の傾斜面に金属膜２５を形成する。金属膜１５及び金属膜２５は、撮像素子５１への結像範囲外に形成する。また、第１レンズ１０及び第２レンズ２０を保持する鏡筒２の一側の端面に金属膜５を形成する。【選択図】図１
2007322547.tif 000002
【特許請求の範囲】
【請求項１】
レンズを備え、該レンズの一面の側から他面の側へ光を集光する光学装置において、
前記レンズの前記他面の一部分に形成された金属膜を備えること
を特徴とする光学装置。
【請求項２】
前記レンズは複数であり、複数のレンズが一面の側から他面の側へ光軸を整合させて配設してあり、
一又は複数のレンズの前記他面の一部分に、前記金属膜が形成してある請求項１に記載の光学装置。
【請求項３】
前記レンズは複数であり、複数のレンズが一面の側から他面の側へ光軸を整合させて配設してあり、
前記一面の側の端に配されたレンズの前記他面の一部分に、前記金属膜が形成してある請求項１又は請求項２に記載の光学装置。
【請求項４】
前記レンズを保持する鏡筒を備え、
該鏡筒には、前記一面の側の端に配されたレンズを保持する部分の周囲に金属膜が形成してある請求項２又は請求項３に記載の光学装置。
【請求項５】
前記金属膜が形成される前記レンズの前記一部分は、前記レンズの周縁側から中央側へ向けて凹むように、前記レンズの光軸の直交方向に対して傾斜した傾斜面にしてある請求項１乃至請求項４のいずれか１つに記載の光学装置。
【請求項６】
前記金属膜が形成される前記レンズの前記一部分は、前記他面の側へ向けて凸状の曲面にしてある請求項１乃至請求項４のいずれか１つに記載の光学装置。
【請求項７】
請求項１乃至請求項６のいずれか１つに記載の光学装置と、
該光学装置により結像された像を撮像する撮像素子と
を備えることを特徴とする撮像装置。
【請求項８】
前記光学装置のレンズには、前記撮像素子への結像範囲外に前記金属膜が形成してある請求項７に記載の撮像装置。
【請求項９】
一面の側から他面の側へ光を集光するレンズにおいて、
前記他面の一部分に形成された金属膜を備えること
を特徴とするレンズ。
【請求項１０】
前記一面に形成された凸面と、前記他面に形成された凹面とを備え、
前記金属膜が形成される前記一部分は、前記凹面の周囲に設けてある請求項９に記載のレンズ。
【請求項１１】
前記凹面の周囲に設けられた前記一部分は、周縁側から中央側へ向けて凹むように、光軸の直交方向に対して傾斜した傾斜面にしてある請求項１０に記載のレンズ。
【請求項１２】
前記凹面の周囲に設けられた前記一部分は、前記他面の側へ向けて凸状の曲面にしてある請求項１０に記載のレンズ。
【発明の詳細な説明】
【技術分野】
【０００１】
本発明は、一又は複数のレンズにより光を集光する光学装置、この光学装置により結像された像を撮像する撮像装置、及びこれらの光学装置並びに撮像装置に備えられるレンズに関する。
【背景技術】
【０００２】
図５は、従来の撮像装置の構成を示す模式的断面図である。図において１０１は、複数のレンズとこれを保持する鏡筒１０２とを備える光学装置であり、撮像装置の筐体５０にねじ５５により固定されている。筐体５０内には、光学装置１０１により結像された像の撮像を行う撮像素子５１と、撮像素子５１が搭載された回路基板５２とが収容されている。また、光学装置１０１の鏡筒１０２内には、光軸（図中に一点鎖線で示す）が一致するように複数のレンズが並べて配されており、複数のレンズにより一側から入射する光を他側の撮像素子５１へ集光するようにしてある。
【０００３】
鏡筒１０２の入射側の一端に配された第１レンズ１１０は、所謂メニスカスレンズであり、入射側の一面が凸面にしてあり、他面に凹面が形成してある。第１レンズ１１０の他面には、凹面の周囲に環状の平面が形成してあり、この平面には黒色塗装１１５が施してある。第１レンズ１１０に次いで入射側に配された第２レンズ１２０もまた、入射側の一面が凸面にしてあり、他面に凹面が形成してあると共に、凹面の周囲に環状の平面が形成してあり、この平面に黒色塗装１２５が施してある。
【０００４】
第１レンズ１１０の他面に施された黒色塗装１１５及び第２レンズ１２０の他面に施された黒色塗装１２５は、鏡筒１０２内に不要な光が入射することを防止するためのものである。これにより、撮像装置が撮像する画像の彩度を高めることができるという利点がある。黒色塗装１１５及び１２５には、例えば塗膜を形成するための溶剤にカーボンなどを溶かした塗料を用いることができる。
【０００５】
近年、上述のような構成の撮像装置が車両に搭載され、撮像装置により車両の周辺の撮像を行い、撮像した画像を車両の運転席近傍に設けられたディスプレイに表示することによって、運転者を支援するシステムが実用化されている。例えば、運転席から死角となる車両の側方又は後方等を撮像することができる位置に撮像装置を搭載することによって、運転者が直接に目視できない部分をディスプレイに表示することができる。これにより、幅の狭い道路の走行、車庫入れ又は縦列駐車等を行う際の運転者の負担を軽減することができる。
【０００６】
車両に搭載する撮像装置として、例えば特許文献１においては、レンズ群を保持する鏡筒が、一枚目のレンズが装着された外側鏡筒と、その他のレンズが装着された内側鏡筒とを有し、外側鏡筒の内周面に形成された雄ねじ部と内側鏡筒の外周面に形成された雌ねじ部とを螺合させる構成とすることにより、外側鏡筒及び内側鏡筒を移動調整自在とすることができ、光軸及び焦点等の調整が容易なカメラ装置が提案されている。
【特許文献１】特開２００５−７０５０５号公報
【発明の開示】
【発明が解決しようとする課題】
【０００７】
撮像装置を車両に搭載する場合、車両のバンパー又はライト等に設けられたメッキ部材の周辺に撮像装置を搭載することが多い。しかしながら、図５に示した従来の撮像装置のように、第１レンズ１１０に黒色塗装１１５が施され、第２レンズ１２０に黒色塗装１２５が施されている場合、メッキ部材の周辺に黒色の撮像装置の存在が視認され、メッキ部材を用いた車体の意匠性を損なうという問題があった。
【０００８】
更に、撮像装置に黒色塗装１１５及び１２５を施すことによって、この部分が太陽光を吸収するため、撮像装置の温度上昇の要因となる虞があり、撮像装置の故障又は寿命の低下等の要因となる虞があった。また、黒色塗装１１５及び１２５としてカーボンを溶剤に溶かした塗料を用いた場合、溶剤は有機成分を含むものであるため、太陽光に長時間さらされることによって有機成分が変性し、黒色塗装１１５及び１２５の変色又は剥離等が発生する虞があった。
【０００９】
本発明は、斯かる事情に鑑みてなされたものであって、その目的とするところは、レンズの一部分に金属膜を形成する構成とすることによって、不要な光の入射を金属膜により防止し、車両に搭載した場合にメッキ部材との親和性を高めることができ、太陽光を吸収することによる温度上昇を抑制でき、変性による変色又は剥離等を防止することができる光学装置を提供することにある。
【００１０】
また本発明の他の目的とするところは、光軸を整合させて配設された複数のレンズを備える場合に、一又は複数のレンズの一部分に金属膜をそれぞれ形成する構成とすることにより、不要な光の入射を各レンズの金属膜により防止でき、よりメッキ部材との親和性が高い光学装置を提供することにある。
【００１１】
また本発明の他の目的とするところは、光軸を整合させて配設された複数のレンズを備える場合に、一側の端に配設されたレンズの一部分に金属膜を形成する構成とすることにより、最少量の金属膜により最も効果的にメッキ部材との親和性を高めることができ、不要な光の入射を防止することができる光学装置を提供することにある。
【００１２】
また本発明の他の目的とするところは、レンズを保持する鏡筒を備える場合に、一側の端のレンズを保持する部分の周囲に金属膜を形成する構成とすることにより、鏡筒が露出する場合であっても、メッキ部材との親和性を高めることができる光学装置を提供することにある。
【００１３】
また本発明の他の目的とするところは、レンズの周縁側から中央側へ向けて凹むように、光軸の直交方向に対して傾斜した傾斜面を形成し、この傾斜面に金属膜を形成する構成とすることにより、金属膜にて反射した光が鏡筒内に侵入することを防止できる光学装置を提供することにある。
【００１４】
また本発明の他の目的とするところは、レンズの金属膜を形成する部分を、他側へ向けて凸状の曲面とすることにより、金属膜にて反射した光が鏡筒内に侵入することを防止できる光学装置を提供することにある。
【００１５】
また本発明の他の目的とするところは、上述の光学装置により結像された像を撮像素子にて撮像する構成とすることにより、不要な光の入射により撮像する画像の画質が低下することを防止でき、車両に搭載した場合にメッキ部材との親和性が高く、太陽光を吸収することによる温度上昇を抑制でき、変性による変色又は剥離等を防止することができる撮像装置を提供することにある。
【００１６】
また本発明の他の目的とするところは、光学装置のレンズには、撮像素子への結像範囲外に金属膜を形成する構成とすることにより、金属膜によって画角が制限されることがない撮像装置を提供することにある。
【００１７】
また本発明の他の目的とするところは、一部分に金属膜を形成する構成とすることにより、不要な光の入射を金属膜により防止し、メッキ部材との親和性を高めることができ、太陽光を吸収することによる温度上昇を抑制でき、変性による変色又は剥離等を防止することができるレンズを提供することにある。
【００１８】
また本発明の他の目的とするところは、一側に形成された凸面と、他側に形成された凹面を備える場合に、凹面の周囲に金属膜を形成する構成とすることにより、集光の妨げとなることなく、効果的に金属膜を形成して、不要な光の入射を効果的に防止できるレンズを提供することにある。
【００１９】
また本発明の他の目的とするところは、周縁側から中央側へ向けて凹むように光軸の直交方向に対して傾斜した傾斜面に金属膜を形成する構成とすることにより、金属膜にて反射した光の侵入を防止できるレンズを提供することにある。
【００２０】
また本発明の他の目的とするところは、金属膜を形成する部分を、他側へ向けて凸状の曲面とすることにより、金属膜にて反射した光の侵入を防止できるレンズを提供することにある。
【課題を解決するための手段】
【００２１】
第１発明に係る光学装置は、レンズを備え、該レンズの一面の側から他面の側へ光を集光する光学装置において、前記レンズの前記他面の一部分に形成された金属膜を備えることを特徴とする。
【００２２】
本発明においては、レンズにより一面の側から他面の側へ光を集光する場合に、レンズの他面の一部分に金属膜を形成して不要な光の入射を防止する。レンズに形成した金属膜はメッキ部材との視覚的な親和性が高く、このレンズを用いた光学装置を車両に搭載した場合に、車両の意匠性を損なうことがない。また、金属膜は太陽光を反射し、吸収しにくいため、光学装置の温度上昇が抑制される。また、金属膜には有機成分が含まれないため変性の虞がない。
【００２３】
また、第２発明に係る光学装置は、前記レンズが複数であり、複数のレンズが一面の側から他面の側へ光軸を整合させて配設してあり、一又は複数のレンズの前記他面の一部分に、前記金属膜が形成してあることを特徴とする。
【００２４】
本発明においては、複数のレンズを用いて集光を行う場合には、一又は複数のレンズに金属膜を他面の一部分に形成する。より多くのレンズに金属膜を形成することによって、不要な光が入射することをより確実に防止できる。
【００２５】
また、第３発明に係る光学装置は、前記レンズが複数であり、複数のレンズが一面の側から他面の側へ光軸を整合させて配設してあり、前記一面の側の端に配されたレンズの前記他面の一部分に、前記金属膜が形成してあることを特徴とする。
【００２６】
本発明においては、複数のレンズを用いて集光を行う場合には、一面の側の端に配されたレンズの他面の一部分に金属膜を形成する。光学装置が車両に搭載された場合、光の入射側に配されたレンズが最も視認されやすいため、このレンズに金属膜を形成することで、メッキ部材との視覚的な親和性が損なわれることを効果的に防止できる。
【００２７】
また、第４発明に係る光学装置は、前記レンズを保持する鏡筒を備え、該鏡筒には、前記一面の側の端に配されたレンズを保持する部分の周囲に金属膜が形成してあることを特徴とする。
【００２８】
本発明においては、レンズを保持する鏡筒を備える場合に、一面の側の端のレンズを保持する部分の周囲に金属膜を形成する。車両に光学装置が搭載された場合、一端側のレンズ及びこのレンズ周囲の鏡筒の一部分が露出する可能性があり、鏡筒のこの部分に金属膜を形成することによって、メッキ部材との視覚的な親和性が損なわれることを防止できる。
【００２９】
また、第５発明に係る光学装置は、前記金属膜が形成される前記レンズの前記一部分は、前記レンズの周縁側から中央側へ向けて凹むように、前記レンズの光軸の直交方向に対して傾斜した傾斜面にしてあることを特徴とする。
【００３０】
本発明においては、レンズの周縁側から中央側へ向けて凹むように、光軸の直交方向に対して傾斜した傾斜面をレンズに形成し、この傾斜面に金属膜を形成する。光軸に直交する面に金属膜を形成した場合には、金属膜にて反射した光が再入射する虞があるが、金属膜を傾斜面に形成することで、これを防止できる。
【００３１】
また、第６発明に係る光学装置は、前記金属膜が形成される前記レンズの前記一部分は、前記他面の側へ向けて凸状の曲面にしてあることを特徴とする。
【００３２】
本発明においては、レンズの他面の一部分に、他側へ凸状の曲面を形成し、この曲面に金属膜を形成する。光軸に直交する平面に金属膜を形成した場合には、金属膜にて反射した光が再入射する虞があるが、曲面に金属膜を形成することで、これを防止できる。
【００３３】
また、第７発明に係る撮像装置は、上述のいずれか１つの光学装置と、該光学装置により結像された像を撮像する撮像素子とを備えることを特徴とする。
【００３４】
本発明においては、上述の光学装置により結像された像を撮像素子にて撮像する。レンズに形成された金属膜により、撮像素子へ不要な光が入射することを防止できる。また、レンズに形成した金属膜はメッキ部材との視覚的な親和性が高く、撮像装置を車両に搭載した場合に意匠性を損なうことがない。また、金属膜は太陽光を反射し、吸収しにくいため、撮像装置の温度上昇が抑制される。また、金属膜には有機成分が含まれないため変性の虞がない。
【００３５】
また、第８発明に係る撮像装置は、前記光学装置のレンズには、前記撮像素子への結像範囲外に前記金属膜が形成してあることを特徴とする。
【００３６】
本発明においては、レンズの撮像素子への結像範囲外に金属膜を形成する。不要な光の入射のみを確実に防止でき、撮像素子が撮像した画像に金属膜が写されることがない。よって、撮像装置の画角が金属膜により制限されることなく、広範囲に亘って撮像を行うことができる。
【００３７】
また、第９発明に係るレンズは、一面の側から他面の側へ光を集光するレンズにおいて、前記他面の一部分に形成された金属膜を備えることを特徴とする。
【００３８】
本発明においては、一面の側から他面の側へ光を集光する場合に、他面の一部分に金属膜を形成して不要な光の入射を防止する。レンズのメッキ部材との視覚的な親和性が高まり、金属膜は太陽光を吸収しにくいため温度上昇が抑制され、また、金属膜には有機成分が含まれないため変性の虞がない。
【００３９】
また、第１０発明に係るレンズは、前記一面に形成された凸面と、前記他面に形成された凹面とを備え、前記金属膜が形成される前記一部分は、前記凹面の周囲に設けてあることを特徴とする。
【００４０】
本発明においては、一面の側に形成された凸面と、他面の側に形成された凹面とを備える構成、所謂メニスカスレンズの構成とし、他面の側の凹面の周囲に金属膜を形成する。凹面の周囲部分は集光に利用されない部分であるため、この部分に金属膜を形成しても集光と妨げとならず、不要な光の入射のみを防止できる。
【００４１】
また、第１１発明に係るレンズは、前記凹面の周囲に設けられた前記一部分が、周縁側から中央側へ向けて凹むように、光軸の直交方向に対して傾斜した傾斜面にしてあることを特徴とする。
【００４２】
本発明においては、他面の側の凹面の周囲に、周縁側から中央側へ向けて凹むように光軸の直交方向に対して傾斜面を形成し、この傾斜面に金属膜を形成する。光軸に直交する面に金属膜を形成した場合には、金属膜にて反射した光が再入射する虞があるが、金属膜を傾斜面に形成することで、これを防止できる。
【００４３】
また、第１２発明に係るレンズは、前記凹面の周囲に設けられた前記一部分が、前記他面の側へ向けて凸状の曲面にしてあることを特徴とする。
【００４４】
本発明においては、他面の側の凹面の周囲に、他面の側へ向けて凸状の曲面を形成し、この曲面に金属膜を形成する。光軸に直交する平面に金属膜を形成した場合には、金属膜にて反射した光が再入射する虞があるが、曲面に金属膜を形成することで、これを防止できる。
【発明の効果】
【００４５】
第１発明による場合は、レンズにより一面の側から他面の側へ光を集光する場合に、レンズの他面の一部分に金属膜を形成する構成とすることにより、不要な光の入射を金属膜により防止することができると共に、車両のメッキ部材の近傍に光学装置を搭載した場合であっても、金属膜とメッキ部材との視覚的な親和性が高いため、意匠性を損なうことなく、優れた美観を得ることができる。金属膜は太陽光を反射し、吸収しにくいため、光学装置の温度上昇が抑制され、また、金属膜には有機成分が含まれず変性の虞がないため、光学装置の故障率を低減でき、光学装置の信頼性及び品質を高めることができる。
【００４６】
また、第２発明による場合は、複数のレンズを用いて集光を行い、一又は複数のレンズに金属膜を他面の一部分に形成する構成とすることにより、より多くのレンズに金属膜を形成することによって、不要な光が入射することをより確実に防止できるため、光学装置の品質を高めることができ、また、メッキ部材との視覚的な親和性がより高まるため、より優れた美観を得ることができる。
【００４７】
また、第３発明による場合は、光軸を整合させて配設された複数のレンズを備え、一面の側の端に配設されたレンズに金属膜を形成する構成とすることにより、光学装置が車両に搭載された場合、最も視認されやすい入射側のレンズとメッキ部材との視覚的な親和性を高めることができるため、意匠性を損なうことなく、優れた美観を得ることができる。
【００４８】
また、第４発明による場合は、レンズを保持する鏡筒を備え、一面の側の端のレンズを保持する鏡筒の部分の周囲に金属膜を形成する構成とすることにより、光学装置が車両に搭載された場合に露出する可能性がある鏡筒により、メッキ部材との視覚的な親和性が損なわれることがないため、意匠性を損なうことなく、優れた美観を得ることができる。
【００４９】
また、第５発明による場合は、レンズの周縁側から中央側へ向けて凹むように、光軸の直交方向に対して傾斜した傾斜面を形成し、この傾斜面に金属膜を形成する構成とすることにより、金属膜にて反射した光が鏡筒内に侵入することを防止できるため、光学装置の品質を高めることができる。
【００５０】
また、第６発明による場合は、レンズの他面の側の一部分に、他側へ凸状の曲面を形成し、この曲面に金属膜を形成する構成とすることにより、金属膜にて反射した光が鏡筒内に侵入することを防止できるため、光学装置の品質を高めることができる。
【００５１】
また、第７発明による場合は、上述の光学装置により結像された像を撮像素子にて撮像する構成とすることにより、撮像素子へ不要な光が入射することを防止できるため、撮像装置が撮像する画像の画質を高めることができる。また、レンズに形成した金属膜はメッキ部材との視覚的な親和性が高いため、撮像装置を車両に搭載した場合に意匠性を損なうことがなく、優れた美観を得ることができる。また、金属膜は太陽光を反射し、吸収しにくいため、撮像装置の温度上昇が抑制され、また、金属膜には有機成分が含まれないため変性の虞がないため、撮像装置の故障率を低減でき、撮像装置の信頼性及び品質を高めることができる。
【００５２】
また、第８発明による場合は、レンズの撮像素子への結像範囲外に金属膜を形成する構成とすることにより、不要な光の入射のみを確実に防止でき、撮像素子が撮像した画像に金属膜が写されることがないため、撮像装置の画角が金属膜により制限されることなく、広範囲に亘って撮像を行うことができる。よって、撮像装置の性能を低下させることなく、不要な光が入射することを防止でき、メッキ部材との視覚的な親和性を高めることができ、また、温度上昇及び変性を抑制することができるため、撮像装置の信頼性及び品質を高めることができる。
【００５３】
また、第９発明による場合は、一面の側から他面の側へ光を集光する場合に、他面の一部分に金属膜を形成する構成とすることにより、不要な光の入射を金属膜により防止することができると共に、メッキ部材の近傍に配された場合であっても、金属膜とメッキ部材との視覚的な親和性が高いため、意匠性を損なうことなく、優れた美観を得ることができる。金属膜は太陽光を反射し、吸収しにくいため、温度上昇が抑制され、また、金属膜には有機成分が含まれず変性の虞がないため、レンズの信頼性及び品質を高めることができる。
【００５４】
また、第１０発明による場合は、一面の側に形成された凸面と、他面の側に形成された凹面を備える場合に、凹面の周囲に金属膜を形成する構成とすることにより、凹面の周囲部分は集光に利用されない部分であり、この部分に金属膜を形成しても集光の妨げとならないため、不要な光の入射を効果的に防止でき、このレンズを利用した装置の品質を高めることができる。
【００５５】
また、第１１発明による場合は、周縁側から中央側へ向けて凹むように光軸の直交方向に対して傾斜した傾斜面に金属膜を形成する構成とすることにより、金属膜にて反射した光の侵入を防止できるため、このレンズを利用した装置の品質を高めることができる。
【００５６】
また、第１２発明による場合は、金属膜を形成する部分を、他面の側へ凸状の曲面とすることにより、金属膜にて反射した光の侵入を防止できるため、このレンズを利用した装置の品質を高めることができる。
【発明を実施するための最良の形態】
【００５７】
以下、本発明をその実施の形態を示す図面に基づき具体的に説明する。図１は、本発明に係る撮像装置の構成を示す模式的断面図である。図において１は、複数のレンズとこれを保持する鏡筒２とを備える光学装置であり、光学装置１は撮像装置の筐体５０にねじ５５により固定されている。
【００５８】
撮像装置の筐体５０は、直方体状をなすベース部５０ａと、ベース部５０ａの一面から突出して設けられた円筒部５０ｂとを有しており、ベース部５０ａ内の空間と円筒部５０ｂ内の空間とは連通するようにしてある。ベース部５０ａ内には、ＣＣＤ又はＣＭＯＳ等のイメージセンサによって受光した光を電気信号に変換する撮像素子５１と、撮像素子５１が搭載される回路基板５２とが収容されている。回路基板５２にはその他に、撮像素子５１が出力するアナログの電気信号をデジタルの電気信号に変換するＡ／Ｄ変換回路、及び得られた電気信号、即ち画像データを他の機器へ送信する回路等が搭載されている。
【００５９】
光学装置１の鏡筒２は、一側から他側へ段階的に縮径する円筒状をなしており、撮像装置の筐体５０の円筒部５０ｂ内に鏡筒２を挿入して嵌合することができる大きさ及び形状にしてある。筐体５０の円筒部５０ｂの周面には貫通孔５０ｃが形成してあり、鏡筒２の外周面にはねじ穴４が形成してあるため、筐体５０の円筒部５０ｂ及び鏡筒２を嵌合させ、筐体５０のねじ穴５０ｃにねじ５５を挿通し、鏡筒２のねじ穴４に螺合させることで、鏡筒２を筐体５０に固定することができるようにしてある。また、鏡筒２を筐体５０の円筒部５０ｂに固定した場合、鏡筒２の他側の開口３が筐体５０のベース部５０ａに収容された撮像素子５１の撮像面に対向するようにしてある。
【００６０】
鏡筒２の内部には、一側から他側へ順に、第１レンズ１０、第２レンズ２０、レンズ群３０及びレンズ群４０が保持されており、一側から他側へ光を集光するようにしてある。なお、図１においては、１つの凸レンズとして略示してあるが、レンズ群３０及びレンズ群４０は一又は複数のレンズによりそれぞれ構成されるものである。レンズ群３０及びレンズ群４０を構成するレンズは、凸レンズ、凹レンズ又はメニスカスレンズ等の複数種類のレンズであってよい。また、第１レンズ１０、第２レンズ２０、レンズ群３０のレンズ及びレンズ群４０のレンズは、光軸（図中に一点鎖線で示す）が略一致するように、鏡筒２内に並べて配されている。
【００６１】
図２は、本発明に係る撮像装置の第１レンズ１０の構成を示す模式図であり、（ａ）に断面図を示し、（ｂ）に背面（出射側の面）図を示してある。鏡筒２の一側の端に、即ち最外側に配された第１レンズ１０は、一側に形成された凸面１１と、他側の周縁から中央へ向けてすり鉢状に凹ませるように傾斜した傾斜面１３と、傾斜面１３の略中央に形成された凹面１２とを有する所謂メニスカスレンズである。なお、傾斜面１３は、光軸に直交する方向（図中に破線の矢印で示す方向）に対する角度をθとした場合に、θ＞０°となるように傾斜してある。
【００６２】
第１レンズ１０の傾斜面１３には、金属膜１５が形成してある。金属膜１５は、例えば銀、すず、パラジウム、ロジウムあるいはクロム等の金属、又はこれらの金属の合金が用いられ、金属粒子をレンズの表面に蒸着して皮膜を形成する、溶融した金属をレンズの表面に塗布する、又はスパッタリングによりレンズの表面に金属皮膜を形成する等の方法によって形成することができる。第１レンズ１０に形成された金属膜１５により、一側の凸面１１から第１レンズ１０に入射した光は、凹面１２からのみ他側へ出射し、それ以外の光は金属膜１５が形成された傾斜面にて反射され、一側の凸面１１から出射するようにしてある。よって、傾斜面１３から不要な光が他側へ出射することを防止することができる。
【００６３】
また、第１レンズ１０に対向して鏡筒２内に保持された第２レンズ２０は、一側に凸面を有し、他側に傾斜面及び凹面を有するメニスカスレンズであり、第１レンズ１０と略同じ形状である。ただし、レンズ径、凸面及び凹面の曲率、並びに傾斜面の傾斜角度等は異なる。第２レンズ２０の他側の傾斜面には、金属膜２５が形成してあり、不要な光がレンズ群３０へ出射することを防止するようにしてある。
【００６４】
第１レンズ１０の一側から入射した光は、第２レンズ２０、レンズ群３０及びレンズ群４０を通して撮像素子５１の撮像面に集光される。これにより、第１レンズ１０の周辺の像が撮像素子５１に結像され、撮像素子５１にて撮像され、画像データとして出力されるが、第１レンズ１０の金属膜１５及び第２レンズ２０の金属膜２５は、撮像素子５１に結像される像に含まれることがないように、撮像素子５１の結像範囲外に形成してある。
【００６５】
また、鏡筒２の一側の端面には、金属膜５が形成してある。例えば、鏡筒２が合成樹脂により成型されたものである場合、無電解メッキ法により金属膜５を形成することができる。第１レンズ１０の金属膜１５、第２レンズ２０の金属膜２５、及び鏡筒２の金属膜５は、同じ金属によるものであっても、異なる金属によるものであってもよいが、略同色であることが望ましい。
【００６６】
図３は、本発明に係る撮像装置の構成を示す模式的正面図であり、撮像装置を第１レンズ１０の凸面１１側から見た場合の構成を図示してある。正面視において、撮像装置は略円形をなしており、最外部は鏡筒２の一側の端面に形成された円環状の金属膜５となる。鏡筒２の金属膜５の内側には、第１レンズ１０が配されており、第１レンズ１０の他側の面に形成された円環状の金属膜１５が、第１レンズ１０を通して視認される。第１レンズ１０の金属膜１５の内側には、第１レンズ１０及び第２レンズ２０を通して、第２レンズ２０の他側の面に形成された円環状の金属膜２５が視認される。
【００６７】
よって、撮像装置は、正面視において、中央部分を除いて略全体が金属膜５、１５、２５による金属色に視認される。例えば、撮像装置が車両に搭載される場合には、撮像装置の一側が車体から露出し、他側は車体内に収容されるため、外部から最も視認されるのは撮像装置の一側の端部となる。このため、撮像装置の正面視において略全体が金属色に視認される構成とすることにより、金属色のメッキ部材の近傍に撮像装置が搭載された場合、メッキ部材と撮像装置との視覚的な親和性が高まる。
【００６８】
以上の構成の撮像装置においては、第１レンズ１０の他側の面に金属膜１５を形成し、第２レンズ２０の他側の面に金属膜２５を形成する構成とすることによって、金属膜１５及び２５により撮像素子５１へ不要な光が入射することを防止できる。また、撮像装置が正面視で金属色に視認されるため、車両などのメッキ部材の近傍に搭載された場合であっても、意匠性を損なうことがない。鏡筒２の一側の端面に金属膜５を形成することにより、より効果を高めることができる。
【００６９】
また、レンズに黒色塗装を施す従来の撮像装置と比較して、金属膜１５及び２５は光を吸収しにくいため、撮像装置内の温度上昇を抑制でき、温度上昇に伴う撮像装置の誤動作又は寿命の低下等を防止できる。また、金属膜１５及び２５には有機成分が含まれていないため、黒色塗装のように有機成分の変性による変色又は剥離等が発生する虞がない。また、金属膜１５を第１レンズ１０の他面の傾斜面１３に形成し、金属膜２５を第２レンズ２０の他面の傾斜面に形成する構成とすることにより、金属膜１５及び２５にて反射された光が、撮像素子５１へ再入射することを防止できる。
【００７０】
なお、本実施の形態においては、第１レンズ１０及び第２レンズ２０に金属膜１５及び２５を形成する構成としたが、これに限るものではなく、第１レンズ１０のみに金属膜１５を形成する構成としてもよく、また、レンズ群３０又はレンズ群４０のレンズに金属膜を形成する構成としてもよい。即ち、鏡筒２内の２つのレンズに金属膜を形成する構成に限るものではなく、１つのレンズ又は３つ以上のレンズに金属膜を形成する構成としてもよい。
【００７１】
また、第１レンズ１０の傾斜面１３に金属膜１５を形成する構成としたが、これに限るものではなく、凹面１２の縁部分にまで金属膜を形成する構成としてもよく、また、傾斜面１３全体に亘って金属膜１５を形成するのではなく、傾斜面１３の縁部分にのみ金属膜を形成する構成としてもよい。第２レンズ２０の金属膜２５に関しても同様である。ただし、金属膜は撮像素子５１の撮像範囲外に形成することが望ましい。
【００７２】
また、鏡筒２の一側の端面にのみ金属膜５を形成する構成としたが、これに限るものではなく、鏡筒２の外周面又は内周面にも金属膜を形成する構成としてもよい。ただし、第１レンズ１０が保持されている部分の周辺に金属膜を形成することが効果的である。また、第１レンズ１０及び第２レンズ２０は、一側に凸面が形成され、他側に凹面が形成されたレンズとしたが、これに限るものではなく、両面に凸面又は凹面が形成されたレンズであってもよい。
【００７３】
（変形例）
図４は、本発明の変形例に係る撮像装置の第１レンズ１０ａの構成を示す模式図であり、（ａ）に断面図を示し、（ｂ）に背面図を示してある。第１レンズ１０ａは、一側に凸面１１が形成してあり、他側の面の中央には凹面１２が形成してある。凹面１２の周囲には、図２に示す第１レンズ１０の傾斜面１３に代えて、他側に僅かに突出した凸状をなす環状の曲面１３ａが形成してある。図示は省略するが、曲面１３ａには金属膜が形成してあり、一側の凸面１１から第１レンズ１０ａに入射した光は、凹面１２からのみ他側へ出射し、それ以外の光は金属膜が形成された曲面１３ａにて反射され、一側の凸面１１から出射するようにしてある。よって、曲面１３ａから不要な光が他側へ出射することを防止することができると共に、曲面１３ａに形成された金属膜により、メッキ部材との視覚的な親和性を高めることができる。
【図面の簡単な説明】
【００７４】
【図１】本発明に係る撮像装置の構成を示す模式的断面図である。
【図２】本発明に係る撮像装置の第１レンズの構成を示す模式図である。
【図３】本発明に係る撮像装置の構成を示す模式的正面図である。
【図４】本発明の変形例に係る撮像装置の第１レンズの構成を示す模式図である。
【図５】従来の撮像装置の構成を示す模式的断面図である。
【符号の説明】
【００７５】
１  光学装置
２  鏡筒
５  金属膜
１０、１０ａ  第１レンズ
１１  凸面
１２  凹面
１３  傾斜面
１３ａ  曲面
１５  金属膜
２０  第２レンズ
２５  金属膜
３０、４０  レンズ群
５０  筐体
５１  撮像素子
【図１】
2007322547.tif 000003
【図２】
2007322547.tif 000004
【図３】
2007322547.tif 000005
【図４】
2007322547.tif 000006
【図５】
2007322547.tif 000007